(57)【特許請求の範囲】
【請求項１】
電気コネクタ（１１２）であって、
相手コネクタ（１１０）の対応するコンタクト（１２２）と嵌合されるように構成された複数のコンタクト（２２２）を保持するコンタクトホルダ（２２０）と、
前記コンタクトホルダを保持するチャンバ（２７０）を有するハウジング（２２４）であって、前記ハウジングは、前記ハウジングの第１の側部（２８４）に沿ってラッチポケット（２９２）を有し、前記ハウジングは、前記ハウジングから前方に延出するガイドピン（２９６）を有し、前記ガイドピンは、前記第１の側部と反対の前記ハウジングの第２の側部（２８６）に又はその近くに配置され、前記ガイドピンは前記ガイドピンに溝（２９８）を有するハウジング（２２４）と、
前記ラッチポケットに受容される一次ラッチ（２２６）であって、前記一次ラッチは、前記一次ラッチの先端に可撓性の掛止梁（２６４）を有し、前記掛止梁は、前記ハウジングの前方に延出し、前記相手コネクタとの掛止係合のために構成されて前記相手コネクタに対する前記ハウジングの前記第１の側部の掛止を容易にする一次ラッチ（２２６）と、を備え、
前記ガイドピンは、前記相手コネクタとの当該電気コネクタの嵌合を案内するように構成され、前記ガイドピン上の前記溝は、前記相手コネクタの二次ラッチ（１８２）を受容するように構成されて前記相手コネクタに対する前記ハウジングの前記第２の側部の掛止を容易にし、
前記ハウジングは、前記ラッチポケットの近くにラッチシールド（３０２）をさらに含み、前記ラッチシールドは、前記ハウジングの前部（２８０）から前記一次ラッチよりも前方に前記相手コネクタとの嵌合方向に延出し、前記一次ラッチの外部に設けられている、
電気コネクタ（１１２）。
【請求項２】
前記ガイドピン（２９６）は円筒形であり、前記一次ラッチ（２２６）が前記相手コネクタ（１１０）と係合する前に前記相手コネクタ（１１０）と係合するように構成される、
請求項１に記載の電気コネクタ（１１２）。
【請求項３】
前記ガイドピン（２９６）は前記ハウジング（２２４）と一体的である、
請求項１に記載の電気コネクタ（１１２）。
【請求項４】
前記相手コネクタ（１１０）の対応する二次ラッチ（１８２）を受容するように構成された溝（２９８）を有する第２のガイドピン（２９６）をさらに備え、前記第２のガイドピンは、前記コンタクト（２２２）と前記一次ラッチ（２２６）との間に配置される、
請求項１に記載の電気コネクタ（１１２）。
【請求項５】
前記ハウジング（２２４）は、前記第２の側部（２８６）に複数のケーブル出口（２９４）を含み、前記第２の側部は、前記ハウジング（２２４）の前記前部（２８０）に対して垂直であり、前記ガイドピン（２９６）は、前記前部から延出する、
請求項１に記載の電気コネクタ（１１２）。
【請求項６】
前記ハウジング（２２４）は、前記ハウジング（２２４）の前記前部（２８０）にコンタクトシェル（３１０）を含み、前記コンタクトシェルは、前記相手コネクタ（１１０）の前記コンタクト（１２２）との前記コンタクトの接触面で前記コンタクト（２２２）のために電気的遮蔽を行い、前記ガイドピン（２９６）は、前記コンタクトシェルと前記第２の側部（２８６）との間に配置され、前記一次ラッチ（２２６）は、前記コンタクトシェルと前記第１の側部（２８４）との間に配置される、
請求項１に記載の電気コネクタ（１１２）。
【請求項７】
前記一次ラッチ（２２６）はアクチュエータ（２６２）を備え、前記一次ラッチは、前記第１の側部（２８４）で露出し、前記アクチュエータは、前記掛止梁（２６４）を撓曲するために押圧される、
請求項１に記載の電気コネクタ（１１２）。
【請求項８】
前記コンタクト（２２２）は、対応するワイヤ（２３４）の端部に圧着されるように構成された圧着コンタクトであり、前記ワイヤは、前記第２の側部（２８６）を通って前記ハウジング（２２４）の前記チャンバ（２７０）から延出する、
請求項１に記載の電気コネクタ（１１２）。
【請求項９】
前記ハウジング（２２４）は、前記チャンバ（２７０）を形成する第１のシェル（２７２）及び第２のシェル（２７４）を備え、前記コンタクトホルダ（２２０）は、前記第１と第２のシェルの間の前記チャンバ内に配置され、前記ハウジングは、前記ハウジングの前記前部（２８０）から前記チャンバから前方に延出するコンタクトシェル（３１０）を備え、前記コンタクトシェルは、前記コンタクトホルダの一部及び前記コンタクト（２２２）の一部を受容する、
請求項１に記載の電気コネクタ（１１２）。
【請求項１０】
前記コンタクトシェル（３１０）、前記コンタクトホルダ（２２０）、及び前記コンタクト（２２２）は、コンタクトサブアセンブリ（３１２）を形成し、前記コンタクトサブアセンブリは、前記相手コネクタ（１１０）との極性付与された嵌合のための極性付与機能部（２４６）を有し、前記コンタクトサブアセンブリは、第１の向き及び反対の第２の向きで前記ハウジング（２２４）に受容されて前記相手コネクタに対する当該電気コネクタの嵌合の向きを変える、
請求項９に記載の電気コネクタ（１１２）。
【発明の詳細な説明】
【技術分野】
【０００１】
本明細書における主題は、一般的に、電気コネクタ用掛止装置に関する。
【背景技術】
【０００２】
電気コネクタは、多くの様々な用途に用いられるために提供される。典型的には、電気コネクタは、両側にサイドラッチを含み、電気コネクタの両側をともに保持する。しかし、組立誤差により、サイドラッチの一方が完全に掛止されず、電気コネクタを回転させてしまう可能性があり、電気的に接続解除する可能性がある。小型の電気コネクタを使用する場合又は小さな空間で作業する場合、設置作業者にとって、両側のラッチが安全に係合されていることを視覚的に確認することが困難である場合がある。加えて、幾つかの用途はブラインドメイトであり、設置作業者が電気コネクタを見ることが不可能である。かかる用途では、電気コネクタを組み立てる又は分解するための工具を使用することが困難又は不可能である場合がある。
【発明の概要】
【発明が解決しようとする課題】
【０００３】
解決すべき課題は、電気コネクタのために確実且つコスト効果の高い掛止を可能にするコネクタシステムの必要性である。
【課題を解決するための手段】
【０００４】
上記課題の解決するための手段は、相手コネクタの対応するコンタクトと嵌合されるように構成された複数のコンタクトを保持するコンタクトホルダを含む電気コネクタによって提供される。当該電気コネクタは、前記コンタクトホルダを保持するチャンバを有するハウジングを含む。前記ハウジングは、前記ハウジングの第１の側部に沿うラッチポケットを有する。前記ハウジングは、前記ハウジング前方に延出する、前記第１の側部と反対の前記ハウジングの第２の側部に又はその近くに配置されたガイドピンを有する。前記ガイドピンは前記ガイドピンに溝を有する。一次ラッチは前記ラッチポケットに受容され、前記一次ラッチの先端に可撓性の掛止梁を有する。前記掛止梁は、前記ハウジングの前方に延出し、前記相手コネクタに対する前記ハウジングの前記第１の側部の掛止を容易にするために前記相手コネクタとの掛止係合のために構成される。前記ガイドピンは、前記相手コネクタとの当該電気コネクタの嵌合を案内するように構成される。前記ガイドピン上の前記溝は、前記相手コネクタに対する前記ハウジングの前記第２の側部の掛止を容易にするために前記相手コネクタの二次ラッチを受容するように構成される。
【図面の簡単な説明】
【０００５】
添付の図面を参照して、本発明を一例として説明する。
【０００６】
【図１】コネクタシステムのケーブルコネクタが第１の向きでコネクタシステムの回路基板コネクタと嵌合する前の状態のコネクタシステムを示す。
【０００７】
【図２】ケーブルコネクタが、第２の向きで回路基板コネクタと嵌合する前の状態のコネクタシステムを示す。
【０００８】
【図３】組立状態の一例示的実施形態に係る回路基板コネクタの正面の斜視図である。
【０００９】
【図４】一例示的実施形態における回路基板コネクタの分解図である。
【００１０】
【図５】部分的な組立状態の回路基板コネクタの背面の分解図である。
【００１１】
【図６】一例示的実施形態に従って形成されたケーブルコネクタの正面の斜視図である。
【００１２】
【図７】ケーブルコネクタの分解図である。
【００１３】
【図８】ケーブルコネクタの一部の部分的な組立図である。
【発明を実施するための形態】
【００１４】
一実施形態において、相手コネクタの対応するコンタクトと嵌合されるように構成された複数のコンタクトを保持するコンタクトホルダを含む電気コネクタが提供される。当該電気コネクタは、前記コンタクトホルダを保持するチャンバを有するハウジングを含む。前記ハウジングは、前記ハウジングの第１の側部に沿うラッチポケットを有する。前記ハウジングは、ハウジングから前方に延出する、前記第１の側部と反対の前記ハウジングの第２の側部に又はその近くに配置されたガイドピンを有する。前記ガイドピンはガイドピンに溝を有する。一次ラッチは前記ラッチポケットに受容され、一次ラッチの先端に可撓性の掛止梁を有する。前記掛止梁は、前記ハウジングの前方に延出し、前記相手コネクタに対する前記ハウジングの前記第１の側部の掛止を容易にするために前記相手コネクタとの掛止係合のために構成される。前記ガイドピンは、前記相手コネクタとの当該電気コネクタの嵌合を案内するように構成される。前記ガイドピン上の前記溝は、前記相手コネクタの二次ラッチを受容するように構成されて前記相手コネクタに対する前記ハウジングの前記第２の側部の掛止を容易にする。
【００１５】
他の実施形態では、相手コネクタの対応するコンタクトと嵌合されるように構成された複数のコンタクトを保持するコンタクトホルダを含む電気コネクタが提供される。前記コンタクトホルダは、前部と、前記前部に相対的に配置された上部とを有する。前記コンタクトホルダは、前記前部に、前記相手コネクタのガイドピンを受容するように構成されたガイドピンポケットを有する。前記コンタクトホルダは、前記相手コネクタの一次ラッチを受容するように構成されたラッチポケットを有する。前記コンタクトホルダの外部には導電性シールドが連結される。前記シールドは、前記コンタクトホルダの前記上部に沿って延在する上部を有し、前記シールドは、前記コンタクトホルダの両側部に沿って延在する側部を有する。前記シールドは、前記シールドの前記側部の一方から前記コンタクトホルダの前記ラッチポケット内へ延出する一次ラッチを有する。前記シールドの前記一次ラッチは、前記相手コネクタの前記一次ラッチと掛止可能に係合するように構成される。前記シールドは、前記シールドの前記上部から前記ガイドピンポケット内に延出する二次ラッチを有する。前記二次ラッチは、前記相手コネクタの前記ガイドピンと係合するように構成される。前記二次ラッチは、前記ガイドピンポケットからの前記ガイドピンの取り外しに抵抗するように構成される。
【００１６】
図１は、一例示的実施形態に従って形成された電子デバイス用コネクタシステム１００を示す。この電子デバイスは、任意のタイプの電子デバイスでよい。例えば、この電子デバイスは、テレビのディスプレイスクリーン等のディスプレイスクリーンでもよい。様々な実施形態において、この電子デバイスは、航空機の乗客席におけるヘッドレストに設けられてもよい。この電子デバイスは、他の実施形態ではその他の用途に使用されてもよい。他のタイプの電子デバイスが、その他の様々な実施形態におけるコネクタシステム１００を利用してもよい。
【００１７】
この電子デバイスは回路基板１０４を含む。コネクタシステム１００は、回路基板１０４に対して電気的に接続される。コネクタシステム１００は、電子デバイスの他の構成部品を動作させるために回路基板１０４にデータおよび／又は電力を提供することができる。コネクタシステム１００は、第１の電気コネクタ１１０と、第１の電気コネクタ１１０に嵌合される第２の電気コネクタ１１２とを含む。第１の電気コネクタ１１０は、回路基板１０４に取り付けられる。第２の電気コネクタ１１２は、電気コネクタ１１２にデータおよび／又は電力を提供する１つ以上のケーブル１１４を有するケーブル束の端部に設けられる。電気コネクタ１１０は、以下で回路基板コネクタ１１０と呼ばれる場合がある。電気コネクタ１１２は、以下でケーブルコネクタ１１２と呼ばれる場合がある。第１の電気コネクタ１１０に言及する場合、第２の電気コネクタ１１２は、相手コネクタ１１２と定義され、以下で相手コネクタ１１２と呼ばれる場合がある。第２の電気コネクタ１１２に言及する場合、第１の電気コネクタ１１０は、相手コネクタ１１０を定義し、以下で相手コネクタ１１０と呼ばれる場合がある。
【００１８】
一例示的実施形態では、電子デバイス１１０は小型の場合があり、又は電気コネクタ１１０，１１２を嵌合するための作業空間が限られた容量しかない場合がある。例えば、航空機の乗客席のヘッドレストにおけるヘッドレストモニタとして使用される場合、この電子デバイスは、薄型である可能性があり、ケーブルコネクタ１１２を回路基板コネクタ１１０に嵌合するためのこの電子デバイスの背後の作業空間は限られた容量しかない可能性がある。一例示的実施形態では、電気コネクタ１１０，１１２は、この電子デバイスによって画定される小さな外囲器を縮小するため又はそこに嵌合するために薄型である。一例示的実施形態では、電気コネクタ１１２は、工具不要な結合機能部を使用して電気コネクタ１１０に嵌合されることができる。従って、設置作業者は、電気コネクタ１１０，１１２の間を電気的に接続するために工具を用いて電気コネクタ１１０，１１２のいずれにも接触する必要はない。
【００１９】
一例示的実施形態では、電気コネクタ１１０，１１２は、設置作業者が電気コネクタ１１０，１１２を視覚的に確認又は整列させることなく電気コネクタ１１０，１１２を嵌合することを可能にするブラインド嵌合機能部を有する。任意ではあるが、ケーブルコネクタ１１０は、その側部の一方からケーブル１１４が延出してもよい。ケーブルコネクタ１１２は、従って、ケーブル１１４がケーブルコネクタ１１２の嵌合面から垂直に延出する直角コネクタを画定する。一例示的実施形態では、電気コネクタ１１０，１１２は、例えば電磁干渉（ＥＭＩ）からの電気的遮蔽を行う。ケーブルコネクタ１１２は、ケーブル１１４のためのケーブル張力緩和を行ってもよい。一例示的実施形態では、ケーブルコネクタ１１２は、ケーブル１１４が、回路基板コネクタ１１０に対して左側又は右側のいずれかから延出することができるように回路基板コネクタ１１０に対して配向されることができる。例えば、ケーブルコネクタ１１２は、ケーブル１１４がその左側から延出する第１の向きで配向されてもよく、又は、ケーブル１１４がその右側から延出する第２の向きで配向されてもよい。ケーブルコネクタ１１２は、個別の電子デバイスに応じて左のケーブル出口又は右のケーブル出口を可能にする複数の構成に組み立てられてもよい。
【００２０】
図１は、第２の電気コネクタ１１２が第１の向きで第１の電気コネクタ１１０と嵌合する前の状態のコネクタシステム１００を示す。図２は、第２の向きで第１の電気コネクタ１１０と嵌合する前の第２の電気コネクタ１１２を示すコネクタシステム１００を示す。第１の向き（図１）では、ケーブルコネクタ１１２は、ケーブル１１４がケーブルコネクタ１１２の左側から出るように配向される。第２の向き（図２）では、ケーブルコネクタ１１２は、ケーブル１１４がケーブルコネクタ１１２の右側から出るように配向される。回路基板コネクタ１１０は、いずれの実施形態でも同一の向きである。
【００２１】
図３は、組立状態にある一例示的実施形態に係る回路基板コネクタ１１０の正面の斜視図である。図４は、一例示的実施形態における回路基板コネクタ１１０の分解図である。図５は、部分的な組立状態における回路基板コネクタ１１０の背面の分解図である。
【００２２】
電気コネクタ１１０は、複数のコンタクト１２２を保持するように構成されたコンタクトホルダ１２０を含む。電気コネクタ１１０は、コンタクト１２２のために電気的遮蔽を行うためのコンタクトホルダ１２０の外側に結合された導電性シールド１２４を含む。電気コネクタ１１２は、回路基板１０４に取り付けるためのコンタクト１２２を保持するために使用されるピンオーガナイザ１２６を含む。
【００２３】
コンタクト１２２は、嵌合端１３０と取付け端１３２との間に延在する。一例示的実施形態では、コンタクト１２２は、取付け端１３２が嵌合端１３０に対して垂直に、即ち直角に配向された直角コンタクトである。嵌合端１３０は、相手コネクタ１１０（図１に示す）の対応するコンタクトと嵌合するように構成される。取付け端１３２は、回路基板１０４に取り付けられるように構成される。コンタクト１２２は、他の実施形態では真っ直ぐなコンタクトでもよい。任意で、取付け端１３２は、回路基板１０４に接続されるように構成されたコンプライアントピン等の回路基板ピンを含んでもよい。例えば、取付け端１３２は、回路基板１０４のめっきバイア内に受容されてもよい。
【００２４】
任意ではあるが、コンタクトアレイ内には異なるタイプのコンタクト１２２が設けられてもよい。例えば、ケーブルコネクタ１１２は、信号コンタクト及び電力コンタクトを含んでもよい。図示の実施形態では、信号コンタクトはマイクロドットコンタクトであり、電力コンタクトはエアリンク（Ａｒｉｎｃ）コンタクトであるが、他の実施形態では、他のタイプのコンタクトが設けられてもよい。図示の実施形態では、回路基板コネクタ１１０は、２０個のコンタクト及び６個の電力コンタクトを含むが、他の実施形態では任意数のコンタクトが設けられてもよい。
【００２５】
ピンオーガナイザ１２６は、コンタクト１２２に対応する複数の開口１３４を含む。ピンオーガナイザ１２６は、回路基板１０４に接続するための取付け端１３２を保持するために使用される。例えば、開口１３４は、回路基板１０４に取り付けるための取付け端１３２の間隔を保持するように配置される。回路基板コネクタ１１０は、他の実施形態ではピンオーガナイザ１２６を用いずに設けられてもよい。任意ではあるが、ピンオーガナイザ１２６は、例えば接着剤、締付具等を使用してコンタクトホルダ１２０に固定されてもよい。或いは、ピンオーガナイザ１２６は、コンタクトホルダ１２０と一体的でもよい。
【００２６】
コンタクトホルダ１２０は、コンタクト１２２を保持するために使用される。コンタクトホルダ１２０は、前部１４０と、前部１４０と反対の後部１４２とを有する。コンタクトホルダ１２０は、上部１４４と、上部１４４と反対の底部１４６との間に延在する。底部１４６は、回路基板１０４に取り付けられるように構成される。コンタクトホルダ１２０は、前部１４０と後部１４２との間に延在する第１及び第２の側部１４８，１５０を含む。
【００２７】
コンタクトホルダ１２０は、コンタクトキャビティ１５２を含む。コンタクト１２２の嵌合端１３０は、相手コネクタ１１２（図１に示す）の対応するコンタクトと嵌合するためのコンタクトキャビティ１５２に設けられる。コンタクト１２２は、前部１４０と反対の後壁１５６のコンタクトチャネル１５４を通って延在することができる。コンタクト１２２は、後壁１５６の後方で取付け端１３２に移行し、ピンオーガナイザ１２６内へ移行する。コンタクトキャビティ１５２は開口しており、内部にケーブルコネクタ１１２の一部を受容するように構成される。
【００２８】
コンタクトホルダ１２０は、前部１４０に、相手コネクタ１１２のガイドピンを受容するように構成されたガイドピンポケット１６０を含む。様々な実施形態において、単一のガイドピンポケットを含む任意数のガイドピンポケット１６０が設けられてよい。図示の実施形態では、コンタクトホルダ１２０は、コンタクトキャビティ１５２の両側部に位置する２つのガイドピンポケット１６０を含む。任意ではあるが、ガイドピンポケット１６０は円筒形でもよいが、ガイドピンポケットは、他の実施形態ではその他の形状を有してもよい。任意ではあるが、ガイドピンポケット１６０は、前部１４０に、ガイドピンをガイドピンポケット１６０内へ案内するための面取りした導入部を有してもよい。
【００２９】
前記コンタクトホルダは、相手コネクタ１１２の一次ラッチを受容するように構成されたラッチポケット１６２を含む。任意ではあるが、ラッチポケット１６２は、側部１４８，１５０に設けられてもよい。単一のラッチポケット１６２を含む任意数のラッチポケット１６２が設けられてよい。ラッチポケット１６２は、相手コネクタ１１２の対応する一次ラッチを受容するための任意のサイズおよび／又は形状を有してもよい。
【００３０】
コンタクトホルダ１２０は、上部１４４に１つ以上のシールド開口１６４を含む。シールド開口１６４は、コンタクトキャビティ１５２に開口している。シールド開口１６４は、相手コネクタ１１２がコンタクトキャビティ１５２に受容されるときに導電性シールド１２４が相手コネクタ１１２に電気的に接続されるように導電性シールド１２４の一部を受容するように構成される。図示の実施形態では、シールド開口１６４は矩形状であるが、シールド開口１６４は、他の実施形態ではその他の形状を有してもよい。他の実施形態では、任意数のシールド開口１６４が設けられてもよい。
【００３１】
導電性シールド１２４は、コンタクトホルダ１２０の外部に連結されるように構成される。任意ではるが、導電性シールド１２４は、打ち抜き工程と曲げ工程によって形成されたシールドでもよい。導電性シールド１２４は、導電性シールド１２４を回路基板１０４に固定するための取付けタブ１７０を含む。導電性シールド１２４は、上部１７２と、上部１７２から延出する両側部１７４，１７６とを含む。導電性シールドは、側部１７４，１７６の間に延在する後部１７８を含む。上部１７２、側部１７４，１７６、及び後部１７８は、コンタクトホルダ１２０周りに遮蔽されたチャンバを形成する。図示の実施形態では、導電性シールド１２４の底部及び前部は開口しているが、導電性シールド１２４は、他の実施形態では、前部および／又は底部に沿って壁を含んでもよい。
【００３２】
導電性シールド１２４は、側部１７４および／又は１７６に沿って一次ラッチ１８０を含む。図示の実施形態では、導電性シールド１２４は、両側部１７４，１７６に沿って一次ラッチ１８０を含む。一次ラッチ１８０は、ケーブルコネクタ１１２を回路基板コネクタ１１０に掛止可能に固定するために使用される。任意で、一次ラッチ１８０は、側部１７４および／又は１７６から打ち抜き工程と曲げ工程によって形成されてもよい。一次ラッチ１８０は、側部１７４および／又は１７６の内側に配置される。導電性シールド１２４がコンタクトホルダ１２０に結合されるとき、一次ラッチ１８０は、対応するラッチポケット１６２内に延出する。一次ラッチ１８０は、ケーブルコネクタ１１２の対応する一次ラッチによって係合されるように構成される。
【００３３】
導電性シールド１２４は、ケーブルコネクタ１１２を回路基板コネクタ１１０に固定するための二次掛止機能部として使用される１つ以上の二次ラッチ１８２を含む。二次ラッチ１８２は、対応するガイドピンポケット１６０内に延出するように構成され、ガイドピンポケット１６０に受容される対応するガイドピンを掛止可能に固定するように構成される。一例示的実施形態では、二次ラッチ１８２は、導電性シールド１２４と一体的に形成される。例えば、二次ラッチ１８２は、導電性シールド１２４の上部１７２から打ち抜き工程と曲げ工程によって形成されてもよい。二次ラッチ１８２は、上部１７２から下方に向かって導電性シールド１２４の遮蔽されたチャンバ内へ延出する。二次ラッチ１８２は、コンタクトホルダ１２０の上部１４４を通って延在し、対応するガイドピンポケット１６０内に装着される。各二次ラッチ１８２は、対応するガイドピンと係合するように構成された先端１８４を含む。図示の実施形態では、二次ラッチ１８２はＶ字形であり、先端１８４はその底部に設けられている。先端１８４は、ガイドピンがガイドピンポケット１６０に装着されるときに対応するガイドピンと掛止可能に係合するためにガイドピンポケット１６０に配置される。
【００３４】
導電性シールド１２４は、上部１７２から延出するばね梁１８６を含む。任意数のばね梁１８６が設けられてよい。ばね梁１８６は、コンタクトホルダ１２０の対応するシールド開口１６４に受容され、相手コネクタ１１２と係合するように構成される。ばね梁１８６は、相手コネクタ１１２が回路基板コネクタ１１０と嵌合されるときに相手コネクタ１１２のシールド又はその他の導電性構造に電気的に接続されるように構成される。一例示的実施形態では、ばね梁１８６は可撓性であり、相手コネクタ１１２に対してばね付勢されるように構成される。一例示的実施形態では、ばね梁１８６は、導電性シールド１２４と一体的に形成されている。例えば、ばね梁１８６は、上部１７２から打ち抜き工程と曲げ工程によって形成されてもよい。
【００３５】
図６は、一例示的実施形態に従って形成されたケーブルコネクタ１１２の正面の斜視図である。図７は、ケーブルコネクタ１１２の分解図である。図８は、ケーブルコネクタ１１２の一部の部分的な組立図である。
【００３６】
ケーブルコネクタ１１２は、複数のコンタクト２２２を保持するように構成されたコンタクトホルダ２２０を含む。コンタクト２２２は、回路基板コネクタ１１０の対応するコンタクト１２２と嵌合されるように構成される。ケーブルコネクタ１１２は、コンタクトホルダ２２０及びコンタクト２２２を保持するように構成されたハウジング２２４を含む。一例示的実施形態では、ハウジング２２４は導電性であり、コンタクト２２２のために電気的遮蔽を行う。ケーブルコネクタ１１２は、ハウジング２２４によって保持された一次ラッチ２２６を含む。一次ラッチ２２６は、ケーブルコネクタ１１２を回路基板コネクタ１１０に固定するために使用される。例えば、一次ラッチ２２６は、回路基板コネクタ１１０の一次ラッチ１８０（図４に示す）と掛止可能に嵌合することができる。
【００３７】
コンタクト２２２は、嵌合端２３０と、嵌合端２３０と反対の接続端２３２との間に延在する。一例示的実施形態では、コンタクト２２２は、ケーブル１１４のワイヤ２３４の端部に圧着されるように構成された圧着コンタクトである。コンタクト２２２は、他の実施形態では他の処理によってワイヤ２３４に接続されてもよい。コンタクト２２２は、対応するコンタクト１２２と嵌合するための嵌合端２３０にピン又はソケットを含んでもよい。一例示的実施形態では、ケーブルコネクタ１１２は、信号コンタクトと電力コンタクトを両方含む。
【００３８】
コンタクトホルダ２２０は、前側コンタクトホルダ２４０及び後側コンタクトホルダ２４２を含んでもよく、後側コンタクトホルダ２４２は、前側コンタクトホルダ２４０に連結されてもよい。例えば、後側コンタクトホルダ２４２は、接着剤、締付具を使用して、又は他の処理によって、前側コンタクトホルダ２４０に連結されてもよい。前側コンタクトホルダ２４０はコンタクト２２２を保持する。後側コンタクトホルダ２４２は、コンタクト２２２および／又はワイヤ２３４を保持してもよい。一例示的実施形態では、前側コンタクトホルダ２４０は、対応するコンタクト２２２を受容する複数のコンタクトチャネル２４４を含む。前側コンタクトホルダ２４０は、コンタクトチャネル２４４内にコンタクト２２２を固定するためにコンタクトチャネル２４４内にラッチ（図示せず）を含む。コンタクト２２２は、ラッチを解除することによってコンタクトチャネル２４４から取り外されることができる。
【００３９】
一例示的実施形態では、コンタクトホルダ２２２は、相手コネクタ１１０との極性付与された嵌合のための極性付与機能部２４６を含んでもよい。例えば、この例示的実施形態では、前側コンタクトホルダ２４０は、前側コンタクトホルダ２４０が略台形を有するように角度を付けた側部２４８，２５０を含む。前側コンタクトホルダ２４０は、代替えの実施形態では他の形状を有してもよい。極性付与機能部２４６は、ケーブルコネクタ１１２が相手コネクタ１１０に対して特定の向きで嵌合されることを保証する。任意ではあるが、前側コンタクトホルダ２４０は、極性付与機能部の向きを変え、そのようにして回路基板コネクタ１１０に対するケーブルコネクタ１１２の嵌合方向を変えるために異なる向きで（例えば、正しい向きに対して逆さまに）ハウジング２２４に保持されてもよい。従って、ケーブルの出口の向きは変わってもよい。
【００４０】
一次ラッチ２２６は、ベース２６０と、ベース２６０の前方のアクチュエータ２６２と、アクチュエータ２６２の前方の掛止梁２６４とを含む。任意ではあるが、ベース２６０は、アクチュエータ２６２が一次ラッチ２２６の作動及び解放のためにハウジング２２４の外部に露出した状態でハウジング２２４内に固定されてもよい。アクチュエータ２６２が押圧されると、掛止梁２６４は、掛止位置から掛止解除位置へ移動することができる。掛止梁２６４は、掛止梁２６４の先端にフック２６６を有する。図示の実施形態では、フック２６６は外方に曲げられている。フック２６６は、ケーブルコネクタ１１２を回路基板コネクタ１１０に掛止可能に固定するために回路基板コネクタ１１０の一次ラッチ１８０（図４に示す）と掛止可能に係合するように構成される。
【００４１】
ハウジング２２４は、コンタクトホルダ２２０及びコンタクト２２２を受容するチャンバ２７０を含む。一例示的実施形態では、ハウジング２２４は、第１のシェル２７２及び第２のシェル２７４を含む２つの部分から成るハウジングである。第１及び第２のシェル２７２，２７４はチャンバ２７０を形成する。第１及び第２のシェル２７２，２７４は、クラムシェル型の配置を形成してもよい。第１のシェル２７２は、締結具（図示せず）を使用して第２のシェル２７４に固定されてもよい。任意ではあるが、第１のシェル２７２は、第２のシェル２７４に対してヒンジ式に連結されてもよい。
【００４２】
ハウジング２２４は、前部２８０、後部２８２、及び前部２８０と後部２８２の間に延在する両側部２８４，２８６を含む。一例示的実施形態では、第１のシェル２７２は、ハウジング２２４の第１の端部２８８を画定し、第２のシェル２７４は、ハウジング２２４の第２の端部２９０を画定する。任意ではあるが、第２の端部２９０がハウジング２２４の底部を画定する一方、第１の端部２８８は、ハウジング２２４の上部を画定してもよい。他の実施形態では、ハウジング２２４は、第１の端部２８８がハウジング２２４の底部を画定する一方で第２の端部２９０がハウジング２２４の上部を画定するように配向されてもよい。例えば、チャンバ２７０におけるコンタクトホルダ２２２の向きを変えることによって、他方の端部２８８，２９０が底部を画定する一方、一方又は他方の端部２８８，２９０は上部を画定することができる。
【００４３】
一例示的実施形態では、ハウジング２２４は、第１の側部２８４に沿ってラッチポケット２９２を含む。ラッチポケット２９２は、一次ラッチ２２６を受容するように構成される。アクチュエータ２６２及び掛止梁２６４がラッチポケット２９２内を移動することができる一方、ベース２６０は、ラッチポケット２９２内に固定されることができる。一例示的実施形態では、ハウジング２２４は、第２の側部２８６に複数のケーブル出口２９４を含む。ケーブル１１４は、対応するケーブル出口２９４を通過することができる。ケーブル１１４は、ケーブル出口２９４を通ってチャンバ２７０内へ延出する。任意ではあるが、設けられたケーブル出口２９４よりも少ない数のケーブル１１４が利用される場合、不使用のケーブル出口２９４からのＥＭＩ漏洩を低減するためにケーブル出口２９４にプラグが受容されてもよい。
【００４４】
ハウジング２２４は、前部２８０から延出する１つ以上のガイドピン２９６を含む。任意ではあるが、ガイドピン２９６は、ハウジング２２４と一体的でもよい。図示の実施形態では、チャンバ２７０の両側部に位置して、２つのガイドピン２９６が設けられている。一代替の実施形態では、一次ラッチ２２６の反対の第２の側部２８６に又はその近くに単一のガイドピン２９６が設けられる。かかるガイドピン２９６は、一次ラッチ２２６が第１の側部２８４を保持する一方で、第２の側部２８６を保持する。ガイドピン２９６は、回路基板コネクタ１１０とのケーブルコネクタ１１２の嵌合を案内するために使用される。ガイドピン２９６は、対応するガイドピンポケット１６０（図２に示す）に受容されるように構成される。図示の実施形態では、ガイドピン２９６は円筒形であるが、ガイドピン２９６は、他の実施形態では他の形状を有してもよい。任意ではあるが、ガイドピン２９６の先端は、ガイドピン２９６を相手コネクタ１１０に嵌合する際の導入部となるように先細りさせてもよい。
【００４５】
一例示的実施形態では、ガイドピン２９６は、その外表面に溝２９８を含む。溝２９８は、ガイドピン２９６周りに円周方向に延在してもよく、又はガイドピン２９６の上部に沿ってのみ形成されてもよい。溝２９８は、ケーブルコネクタ１１２の二次ラッチ３００を画定する。二次ラッチ３００は、相手コネクタ１１０に対するケーブルコネクタ１１２のための二次固定を行うために回路基板コネクタ１１０の対応する二次ラッチ１８２（図２に示す）と係合するように構成される。例えば、一次ラッチ２２６は、第１の側部２８４を相手コネクタ１１０に固定するために使用することができる一方、二次ラッチ３００は、第２の側部２８６を相手コネクタ１１０に固定するために使用されることができる。
【００４６】
ハウジング２２４は、ラッチポケット２９２の近くにラッチシールド３０２を含む。ラッチシールド３０２は、前部２８０から前方に延出する。ラッチシールド３０２は、一次ラッチ２２６の外部に設けられ、一次ラッチ２２６に対する損傷を防止するために一次ラッチ２２６を保護する。ラッチシールド３０２は、ケーブルコネクタ１１２を回路基板コネクタ１１０と整列させるために使用されてもよい。
【００４７】
一例示的実施形態では、ケーブルコネクタ１１２は、ケーブルコネクタ１１２の前部に設けられたコンタクトシェル３１０を含む。コンタクトシェル３１０は、ハウジング２２４の一部を形成することができる。一例示的実施形態では、コンタクトシェル３１０は、導電性であり、コンタクト２２２の嵌合端２３０のために電気的遮蔽を行う。前側コンタクトホルダ２４０は、コンタクトシェル３１０内に受容されることができる。コンタクトシェル３１０は、前側コンタクトホルダ２４０と相補的な形状を有してもよい。例えば、コンタクトシェル３１０は、回路基板コネクタ１１０との極性付与された嵌合のためのケーブルコネクタ１１２の極性付与機能部を画定する角度を付けた側部を有してもよい。
【００４８】
任意ではあるが、コンタクトシェル３１０は、コンタクトシェル３１０がシェル２７２，２７４に連結されるときにシェル２７２，２７４に対して異なる向きを有することができるように第１及び第２のシェル２７２，２７４とは別体でもよい。例えば、コンタクトシェル３１０、コンタクトホルダ２２０、及びコンタクト２２２は、組み立てられてハウジング２２４に装着されることができるコンタクトサブアセンブリを形成してもよい。例えば、コンタクトサブアセンブリ３１２を形成するために、コンタクト２２２はコンタクトホルダ２２０に装着することができ、コンタクトシェル３１０は前側コンタクトホルダ２４０に結合することができる。コンタクトサブアセンブリ３１２は、次に、ケーブル１１４がケーブル出口２９４を通って延在した状態で第２のシェル２７４内に装着することができる。コンタクトサブアセンブリ３１２は、ハウジング２２４に対する極性付与機能部の向きを変えるために正しい向きに又は逆さまに第２のシェル２７４に装着することができる。言い換えれば、コンタクトシェル３１０及び前側コンタクトホルダ２４０の広い方の端部は、第２のシェル２７４に装着されるときに上向きにすることができ、又は第２のシェル２７４に装着されるときは下向きにすることができる。従って、ケーブルコネクタ１１２が回路基板コネクタ１１０に嵌合されるとき、ケーブルコネクタ１１２は、回路基板コネクタ１１０に対するケーブルコネクタ１１２の向きに応じて、回路基板コネクタ１１０に対して右又は左に引き出されたケーブルを有することができる。
【００４９】
図１及び図２に戻ると、嵌合時、ケーブルコネクタ１１２は、左のケーブル出口の向き（図１）又は右のケーブル出口の向き（図２）のいずれかに回路基板コネクタ１１０と整列している。左のケーブル出口の向きでは、一次ラッチ２２６は、ケーブルコネクタ１１２の右側にあり、回路基板コネクタ１１０の対応するラッチポケット１６２と整列する。右のケーブル出口の向きでは、一次ラッチ２２６は、ケーブルコネクタ１１２の左側にあり、回路基板コネクタ１１０の対応するラッチポケット１６２と整列する。一次ラッチ２２６は、回路基板コネクタ１１０に嵌合したとき、回路基板コネクタ１１０の一次ラッチ１８０と係合するように構成される。一例示的実施形態では、一次ラッチ２２６は、一次ラッチ１８０に適切に掛止されたときに可聴クリック音を発生してもよい。
【００５０】
ガイドピン２９６は、嵌合時、ガイドピンポケット１６０と整列する。一例示的実施形態では、ガイドピン２９６は、コンタクトシェル３１０、一次ラッチ２２６、又はラッチシールド３０２よりもさらに前方に延出する。ガイドピン２９６は、回路基板コネクタ１１０と嵌合するためのケーブルコネクタ１１２の第１の部分である。ガイドピン２９６は、コンタクト２２２，１２２と嵌合するためにケーブルコネクタ１１２を回路基板コネクタ１１０と整列することによってケーブルコネクタ１１２のブラインド嵌合のために使用されることができる。
【００５１】
嵌合されるとき、ガイドピン２９６の溝２９８は、ガイドピンポケット１６０内に受容され、二次ラッチ１８２と整列する。二次ラッチ１８２は、回路基板コネクタ１１０内でのガイドピン２９６の固定力又は保持力を提供するために溝２９８内に受容される。二次ラッチ１８２は、保持力を提供するために溝２９８にばね付勢される。従って、一次ラッチ２２６が、ケーブルコネクタ１１０の第１の側部２８４に一次保持力又は一次固定力を提供し、二次ラッチ１８２がケーブルコネクタ１１０の第２の側部２８６に保持又は固定力を提供する掛止装置が電気コネクタ１１０，１１２に対して設けられる。掛止には作動可能なラッチが１つだけ使用されるが、ケーブルコネクタ１１２を嵌合方向又は嵌合解除方向に押す又は引くことによって嵌合及び嵌合解除される二次ラッチによって二次掛止が行われる。二次ラッチにより、２つの作動可能ラッチを提供するよりも単純な掛止装置が提供される。加えて、この掛止装置は、更なる工具を必要とすることなく達成されることができる。
【図１】
0006768359.tif 000002
【図２】
0006768359.tif 000003
【図３】
0006768359.tif 000004
【図４】
0006768359.tif 000005
【図５】
0006768359.tif 000006
【図６】
0006768359.tif 000007
【図７】
0006768359.tif 000008
【図８】
0006768359.tif 000009